(57)【要約】【課題】亡くなったペットを偲びやすく、ペットの遺骨を収納しやすい広い出し入れ口を設けやすいペット用骨壺を提供する。【解決手段】ペット姿態を表現した外観を有する。ペット姿態が、胴体部１０と胴体部１０の上に載架された顔頭部２０とによって表現されるようになっている。胴体部が、有底の遺骨収納室１３と遺骨収納室１３の上部で開口する遺骨の出し入れ口１４とを有する。胴体部１０の上に載架した顔頭部２０によって出し入れ口１４が覆われる。顔頭部２０の下部に、出し入れ口１４に嵌合して顔頭部２０を胴体部の上で位置決めする突部２１を設ける。突部２１を軸として顔頭部２０の向きが出し入れ口の中心周りで可変になっている。【選択図】図２
0003234893.tif 000002
【実用新案登録請求の範囲】
【請求項１】
ペット姿態を表現した外観を有するペット用骨壺であって、
ペット姿態が、個別に分割されてなる胴体部とこの胴体部の上に載架された顔頭部とによって表現されるようになっていると共に、胴体部が、胴壁と底壁とによって囲まれた遺骨収納室とこの遺骨収納室の上部で開口する遺骨の出し入れ口とを有し、この胴体部の上に載架された顔頭部によって上記出し入れ口が覆われるように構成されていることを特徴とするペット用骨壺。
【請求項２】
顔頭部の下部に、上記出し入れ口に嵌合することによって胴体部の上に載架された顔頭部を胴体部の上で定位置に位置決めする突部が設けられている請求項１に記載したペット用骨壺。
【請求項３】
上記出し入れ口に嵌合された上記突部を軸として上記顔頭部の向きを上記出し入れ口の中心周りで可変としてある請求項２に記載したペット用骨壺。
【請求項４】
顔頭部又は胴体部にあしらわれた器官の可視部分が金色に着色されている請求項１ないし請求項３のいずれか１項に記載したペット用骨壺。
【考案の詳細な説明】
【技術分野】
【０００１】
本考案は、ペット姿態を表現した外観を有するペット用骨壺に関する。
【背景技術】
【０００２】
ペットとして飼育していた動物、たとえば猫や犬などが亡くなった後に、火葬して遺骨を骨壺に納めて供養することが増えてきているという現状において、亡くなったペットを偲びやすくするための対策を講じた骨壺が種々提案されている。
【０００３】
たとえば、先行例１（特許文献１）には、動物を模した形状を有する本体と、この本体の底部に設けられた開閉可能な蓋部とを備え、本体が、動物の頭部と首部と胴部とを備えてなる骨壺についての記述がある。また、他の先行例２（特許文献２）には、納骨部を有する台座の上に、猫などの置物体と一体の座板を置くようにした骨壺に付いての記述がある。
【先行技術文献】
【特許文献】
【０００４】
【特許文献１】実登第３２０４４５９号公報
【特許文献２】実登第３０２５５０３号公報
【考案の概要】
【考案が解決しようとする課題】
【０００５】
本考案は、以上の状況に鑑みてなされたものであり、亡くなったペットを偲びやすくするための対策が講じられていることは勿論、生前に飼育していたペットの遺骨を収納しやすい広い出し入れ口を設けやすい構造のペット用骨壺を提供することを目的としている。また、本考案は、仏具としての特別感を発揮するペット用骨壺を提供することを目的としている。
【課題を解決するための手段】
【０００６】
本考案に係るペット用骨壺は、ペット姿態を表現した外観を有するペット用骨壺であって、ペット姿態が、個別に分割されてなる胴体部とこの胴体部の上に載架された顔頭部とによって表現されるようになっていると共に、胴体部が、胴壁と底壁とによって囲まれた遺骨収納室とこの遺骨収納室の上部で開口する遺骨の出し入れ口とを有し、この胴体部の上に載架された顔頭部によって上記出し入れ口が覆われるように構成されている、というものである。この考案において、「胴体部」には、手や足、尻尾などの胴体の付属要素である器官が必要に応じて含まれ、顔頭部には、目や鼻、口、耳、首などの顔頭部の付属要素である器官が必要に応じて含まれる。
【０００７】
このように構成されたペット用骨壺によると、ペット姿態を表現した外観を見ることによって生前のペットの姿を偲びやすくなる。また、胴体部が遺骨収納室の上部で開口する遺骨の出し入れ口を有していることにより、遺骨の出し入れ口を胴体部の太さに応じて胴体部の上部の全体部分で開口させることが可能であるので、そうすることによってペットの遺骨を収納しやすい広い出し入れ口を容易に設けることができる。
【０００８】
本考案では、顔頭部の下部に、上記出し入れ口に嵌合することによって胴体部の上に載架された顔頭部を胴体部の上で定位置に位置決めする突部が設けられている、という構成を採用することによって、胴体部の上に載架された顔頭部が、振動などによって胴体部から滑り落ちたりすることがなくなる。
【０００９】
本考案では、上記出し入れ口に嵌合された上記突部を軸として上記顔頭部の向きを上記出し入れ口の中心周りで可変としてある、という構成を採用することが可能である。これによれば、顔頭部の向きを変化させることによってペット姿態の外観を変化させることが可能になる。
【００１０】
本考案では、顔頭部又は胴体部にあしらわれた器官の可視部分が金色に着色されている、という構成を採用することが可能である。これによれば、金色の着色が施された様々な他の仏具と同様に、当該ペット用骨壺にも、金色に着色された耳、目、鼻等の器官の可視部分によって仏具としての特別感を発揮する機能を具備させることが可能になる。
【考案の効果】
【００１１】
本考案に係るペット用骨壺によれば、ペットを亡くした飼い主にとって、当該骨壺の外観を見ることによって生前のペットを偲びやすくなるだけでなく、顔頭部の向きを変えることにより姿態を変化させて、生前の生き生きとしたペットの面影を偲ぶことも可能になる。また、ペットの遺骨の納骨時に、広い出し入れ口を利用して丁寧に遺骨を収納することが可能になる。さらに、顔頭部又は胴体部にあしらわれた器官の可視部分が金色に着色されているものによると、当該ペット用骨壺が仏具としての特別感を発揮するようになる。
【図面の簡単な説明】
【００１２】
【図１】本考案の実施形態に係るペット用骨壺を示した外観斜視図である。
【図２】図１の骨壺の一部を破断して示した正面図である。
【図３】顔頭部を下から見て示した底面図である。
【図４】胴体部を上から見て示した平面図である。
【考案を実施するための形態】
【００１３】
図１は本考案の実施形態に係るペット用骨壺を示した外観斜視図、図２は同骨壺の一部を破断して示した正面図、図３は顔頭部２０を下から見て示した底面図、図４は胴体部１０を上から見て示した平面図である。
【００１４】
図１に示した骨壺１００は表面が白色の陶器又は磁器で作られていて、容器体と蓋体とでなり、ペット姿態（図例は犬の姿態）を表現した外観を有している。この骨壺１００によって表現されているペット（犬）は、容器体である胴体部１０と蓋体である顔頭部２０とに個別に分割されている。そして、胴体部１０とこの胴体部１０の上に載架された顔頭部２０とによって全体としてペット姿態が表現されている。また、図例の骨壺１００では、座った姿勢の犬が、胴体部１０を立ててその付属要素である器官としての左右の前足１と後足２とを前に組み、顔頭部２０の付属要素である器官としての左右の耳３を立てて前を向いているペット姿態の外観が表現されている。
【００１５】
図２又は図４に示したように、胴体部１０は、胴壁１１と底壁１２とによって囲まれた遺骨収納室１３とこの遺骨収納室１３の上部で円形に開口する遺骨の出し入れ口１４とを有していて、遺骨の出し入れ口１４が、胴壁１１の上端部で内向きに曲がった円環状の口縁部１５を有している。出し入れ口１４をこのように構成しておくと、口縁部１５の内向き出幅を増減することによって出し入れ口１４の広さを広くしたり狭くしたりすることができ、出し入れ口１４を広くしておくと、遺骨収納室１３に対して遺骨を出し入れしやすくなる。図例では、円環状の口縁部１５の内向き出幅をできるだけ少なくして、出し入れ口１４を胴体部１０の上部の全体部分で広く開口させている。
【００１６】
顔頭部２０は中空に形成されていて、その上部に左右の耳３が立体的にあしらわれ、前面の顔部分に左右の目４や鼻５などの顔頭部２０の付属要素である器官があしらわれている。図２又は図３のように、顔頭部２０の下部には短い有底円筒状の突部２１が設けられていて、この突部２１の底壁２２の中央部分には、顔頭部２０を焼成して製作する上で技術的に必要とされる開口２３が設けられている。図２又は図４に示したように、この骨壺１００においては、胴体部１０の上に載架された顔頭部２０によって遺骨の出し入れ口１４が覆われて閉蓋されるようになっている。また、顔頭部２０の突部２１は、顔頭部２０を胴体部１０の上に載架するのに伴って胴体部１０の出し入れ口１４の中に、それほど大きな隙間を生じない状態で遊嵌合されるようになっている。この実施形態では、突部２１を下窄まり形状にしておくことによって、顔頭部２０を胴体部１０の上に載架するときに突部２１が自然に出し入れ口１４の中に遊嵌合されるようにしている。このように、胴体部１０の上に載架された顔頭部２０の突部２１が胴体部１０の出し入れ口１４に嵌合していると、胴体部１０の上で顔頭部２０が定位置に位置決めされるために、振動などによって顔頭部２０が胴体部１０から滑り落ちたりすることがなくなる。また、胴体部１０の出し入れ口１４に上記突部２１がそれほど大きな隙間を生じない状態で遊嵌合されていると、その突部２１を軸として顔頭部２０を回転させることにより、顔頭部２０の向きが出し入れ口１４の中心周りで可変になる。したがって、顔頭部２０の向きをまっすぐ前方に向けたり斜め前向きに向けたりすることを自由に行えるようになり、飼い主にとっては生前の生き生きとした元気なペットの面影を偲びやすくなる。
【００１７】
さらに、この実施形態では、顔頭部２０にあしらわれている左右の耳３の前側の可視部分（耳の内面）や、左右の目４や鼻５の先といった器官の可視部分に、金色の着色が施されている。こうしておくと、金色の着色が施されていることが多い様々な他の仏具と同様に、この骨壺１００にも仏具としての特別感を発揮する機能が具備されるようになる。
【００１８】
以上説明した実施形態では、ペットとしての犬の姿態を表現した外観を有するペット用骨壺を説明したけれども、本考案の対象には、犬以外のペットとして飼育される動物、たとえば猫、うさぎ、リス、ハムスター、マウス、インコ、オウムなどの鳥類を含む小動物が含まれ、また、姿態には、図示例のほかに祈り拝んでいるような姿態、寝ころんでいるような姿態、飛び跳ねているような姿態などが含まれる。さらに、金色に着色される顔頭部や胴体部の器官の可視部分には、図例で説明した耳３の内面、目４，鼻５の先などのほか、尻尾や体毛などを表現した箇所も含まれる。
【符号の説明】
【００１９】
３  耳（器官）
４  目（器官）
５  鼻（器官）
１０  胴体部
１１  胴壁
１２  底壁
１３  遺骨収納室
１４  出し入れ口
２０  顔頭部
２１  突部
１００  骨壺
【図１】
0003234893.tif 000003
【図２】
0003234893.tif 000004
【図３】
0003234893.tif 000005
【図４】
0003234893.tif 000006